(57)【要約】【課題】利用者に適した行先階を選択できるエレベータの行先階登録装置を提供する。【解決手段】エレベータの乗場又はかごに設けられ、利用者８の個人情報を取得する個人情報取得手段３と、利用者８の個人情報に対応付けられたエレベータの使用履歴を蓄積した使用履歴蓄積手段６と、個人情報取得手段３が利用者の個人情報を取得した際に、当該個人情報に対応付けられた使用履歴に基づいて、当該利用者の状態に即した行先階の候補を選定する使用履歴管理手段７と、を備えるように構成した。【選択図】図１
2012224423.tif 000002
【特許請求の範囲】
【請求項１】
エレベータの乗場又はかごに設けられ、利用者の個人情報を取得する個人情報取得手段と、
利用者の個人情報に対応付けられた前記エレベータの使用履歴を蓄積した使用履歴蓄積手段と、
前記個人情報取得手段が利用者の個人情報を取得した際に、当該個人情報に対応付けられた使用履歴に基づいて、当該利用者の状態に即した行先階の候補を選定する使用履歴管理手段と、
を備えたことを特徴とするエレベータの行先階登録装置。
【請求項２】
前記使用履歴蓄積手段は、前記個人情報取得手段が利用者の個人情報を取得した際に、前記候補の中から行先階が確定された場合に、確定された行先階に基づいて、当該個人情報に対応付けられた使用履歴を更新することを特徴とする請求項１記載のエレベータの行先階登録装置。
【請求項３】
前記個人情報取得手段に対応して前記乗場又は前記かごに設けられ、前記候補を表示する行先階候補表示手段、
を備えたことを特徴とする請求項１又は請求項２に記載のエレベータの行先階登録装置。
【請求項４】
前記行先階候補表示手段に対応して前記乗場又は前記かごに設けられ、前記行先階候補表示手段が前記候補を表示しているときに、所定の操作がなされた場合に、前記候補の中から行先階を確定する行先階候補確定手段、
を備えたことを特徴とする請求項１〜請求項３のいずれかに記載のエレベータの行先階登録装置。
【請求項５】
前記行先階候補確定手段は、前記行先階候補表示手段が前記候補を表示しているときに、前記候補の中から行先階を確定する際の操作とは異なる所定の操作がなされた場合に、前記候補を修正することを特徴とする請求項４記載のエレベータの行先階登録装置。
【発明の詳細な説明】
【技術分野】
【０００１】
この発明は、エレベータの行先階登録装置に関するものである。
【背景技術】
【０００２】
従来のエレベータの行先階登録装置においては、階床数が増加に応じて、行先階の表示数も増加する。この増加に応じて、１階床当たりの表示領域が狭くなる。このため、行先階の選定が困難となる（例えば、特許文献１参照）。
【０００３】
これに対し、利用者の個人情報に基づいて、行先階を選定する装置が提案されている。この装置によれば、利用者に適した行先階を選定し得る（例えば、特許文献２参照）。
【０００４】
しかしながら、特許文献２記載のものにおいては、行先階が固定されている。このため、利用者の利便性が低い。
【０００５】
これに対し、エレベータの利用状況を把握する装置が提案されている。この装置によれば、エレベータの利用状況に即して、エレベータを運行することができる（例えば、特許文献３参照）。
【先行技術文献】
【特許文献】
【０００６】
【特許文献１】特表２００８−５２１７２９号公報
【特許文献２】特開２００６−９６５０５号公報
【特許文献３】特開２００４−１５５５５４号公報
【発明の概要】
【発明が解決しようとする課題】
【０００７】
しかしながら、特許文献３記載では、利用者に適した行先階を選定することができない。
【０００８】
この発明は、上述のような課題を解決するためになされたもので、その目的は、利用者に適した行先階を選定することができるエレベータの行先階登録装置を提供することである。
【課題を解決するための手段】
【０００９】
この発明に係るエレベータの行先階登録装置は、エレベータの乗場又はかごに設けられ、利用者の個人情報を取得する個人情報取得手段と、利用者の個人情報に対応付けられた前記エレベータの使用履歴を蓄積した使用履歴蓄積手段と、前記個人情報取得手段が利用者の個人情報を取得した際に、当該個人情報に対応付けられた使用履歴に基づいて、当該利用者の状態に即した行先階の候補を選定する使用履歴管理手段と、を備えたものである。
【発明の効果】
【００１０】
この発明によれば、利用者に適した行先階を選定することができる。
【図面の簡単な説明】
【００１１】
【図１】この発明の実施の形態１におけるエレベータの行先階登録装置の構成図である。
【図２】この発明の実施の形態１におけるエレベータの行先階登録装置の個人情報記録テーブルの図である。
【図３】この発明の実施の形態１におけるエレベータの行先階登録装置のエレベータ使用履歴テーブルの図である。
【図４】この発明の実施の形態１におけるエレベータの行先階登録装置の行先階候補の表示方法を説明するための図である。
【図５】この発明の実施の形態１におけるエレベータの行先階登録装置の行先階候補の確定方法を説明するための図である。
【図６】この発明の実施の形態１におけるエレベータの行先階登録装置の行先階候補の修正方法を説明するための図である。
【図７】この発明の実施の形態１におけるエレベータの行先階登録装置の動作を説明するためのフローチャートである。
【図８】この発明の実施の形態２におけるエレベータの行先階登録装置の行先階候補の表示方法を説明するための図である。
【図９】この発明の実施の形態２におけるエレベータの行先階登録装置の行先階候補の確定方法を説明するための図である。
【図１０】この発明の実施の形態３におけるエレベータの行先階登録装置の行先階候補の表示方法を説明するための図である。
【図１１】この発明の実施の形態３におけるエレベータの行先階登録装置の行先階候補の確定方法を説明するための図である。
【図１２】この発明の実施の形態３におけるエレベータの行先階登録装置の行先階候補の修正方法を説明するための図である。
【発明を実施するための形態】
【００１２】
この発明を実施するための形態について添付の図面に従って説明する。なお、各図中、同一又は相当する部分には同一の符号を付しており、その重複説明は適宜に簡略化ないし省略する。
【００１３】
実施の形態１．
図１はこの発明の実施の形態１におけるエレベータの行先階登録装置の構成図である。
【００１４】
図１において、１はエレベータ制御装置である。エレベータ制御装置１は、エレベータの昇降路や機械室に設けられる。エレベータ制御装置１は、エレベータ全体を制御する機能を備える。２は乗場操作盤である。乗場操作盤２は、エレベータの各乗場に設けられる。乗場操作盤２は、個人情報取得手段３、行先階候補表示手段４、行先階候補確定手段５を内蔵する。
【００１５】
個人情報取得手段３は、入力インタフェースである。個人情報取得手段３は、例えば、カメラ、ＩＣカードリーダ、指紋読み取り装置等からなる。行先階候補表示手段４は、出力インタフェースである。行先階候補表示手段４は、例えば、液晶ディスプレイ等からなる。行先階候補確定手段５は、入力インタフェースである。行先階候補確定手段５は、例えば、テンキー、かご呼びボタン、タッチパネル等からなる。
【００１６】
６は使用履歴蓄積手段である。使用履歴蓄積手段６は、例えば、メモリ等からなる。使用履歴蓄積手段６は、利用者８のエレベータの使用履歴を個人情報に対応付けて記憶する。７は使用履歴管理手段である。使用履歴管理手段７は、エレベータ制御装置１、個人情報取得手段３、行先階候補表示手段４、行先階候補確定手段５に接続される。
【００１７】
このような行先階登録装置においては、個人情報取得手段３が利用者８から個人情報を取得する。個人情報取得手段３がカメラの場合、個人情報取得手段３は、カメラが撮像した利用者８の顔に基づいて、利用者８が一意に定まる値を個人情報として算出する。個人情報取得手段３がＩＣカードリーダの場合、個人情報取得手段３は、ＩＣカードリーダが読み取ったＩＣカードの情報に基づいて、利用者８を一意に定まる値を個人情報として算出する。個人情報取得手段３が指紋読み取り装置の場合、個人情報取得手段３は、利用者８が指紋装置読み取り装置に押し当てられた指の指紋に基づいて、利用者８が一意に定まる値を個人情報として算出する。
【００１８】
この個人情報は、使用履歴管理手段７へ送信される。この個人情報に基づいて、使用履歴蓄積手段６は、個人情報に対応したエレベータの使用履歴を検索する。この検索結果は、使用履歴管理手段７に送信される。
【００１９】
この検索結果に基づいて、使用履歴管理手段７は、選定手段として、利用者８の状態に即した行先階の候補を選定する。具体的には、使用履歴管理手段７は、使用頻度の高い階床を優先度の高い行先階の候補として選定する。この選定結果は、行先階候補表示手段４に送信される。この選定結果に基づいて、行先階候補表示手段４は、行先階の候補を表示する。
【００２０】
この際、行先階候補確定手段５で所定の操作がなされると、行先階の候補の中から行先階が確定する。これに対し、行先階の候補の中から行先階を確定する際の操作とは異なる所定の操作がなされると、行先階の候補とは異なる行先階が確定する。
【００２１】
この確定した行先階に対応した信号は、使用履歴管理手段７に送信される。使用履歴管理手段７は、確定した行先階に対応した信号をエレベータ制御装置１に送信する。この確定した行先階に対応した信号に基づいて、エレベータ制御装置１は、確定した行先階のかご呼びを行う。
【００２２】
この際、使用履歴管理手段７は、確定した行先階に対応した信号を使用履歴蓄積手段６に送信する。この確定した行先階に対応した信号に基づいて、使用履歴蓄積手段６は、個人情報に対応したエレベータの使用履歴を更新する。
【００２３】
次に、図２を用いて、使用履歴管理手段７が管理する個人情報を説明する。
図２はこの発明の実施の形態１におけるエレベータの行先階登録装置の個人情報記録テーブルの図である。
【００２４】
使用履歴管理手段７は、個人情報として、図２の個人情報記録テーブルＴ０１を管理する。この個人情報記録テーブルＴ０１には、個人番号と使用日時とが対応付けられる。個人番号は、利用者８が一意に定まる番号である。使用日時は、個人情報取得手段３が利用者８の個人情報を取得した日時である。
【００２５】
次に、図３を用いて、使用履歴蓄積手段６が蓄積する使用履歴を説明する。
図３はこの発明の実施の形態１におけるエレベータの行先階登録装置のエレベータ使用履歴テーブルの図である。
【００２６】
使用履歴蓄積手段６は、使用履歴として、図３のエレベータ使用履歴テーブルＴ０２を蓄積する。このエレベータ使用履歴テーブルＴ０２には、通し番号、個人番号、使用曜日、使用時刻、使用回数、利用階、到着階が対応付けられる。
【００２７】
通し番号は、先頭を「１」とした連番である。個人番号は、利用者８が一意に定まる値である。使用曜日は、個人情報取得手段３が利用者８の個人情報を取得した曜日である。使用時刻は、個人情報取得手段３が利用者８の個人情報を取得した時間帯である。使用回数は、個人情報取得手段３が同じ曜日かつ同じ時間帯に特定の個人情報を取得した回数の累計である。利用階は、個人情報取得手段３が同じ曜日かつ同じ時間帯に特定の個人情報を取得した階床である。到着階は、個人情報取得手段３が同じ曜日かつ同じ時間帯に特定の個人情報を取得した際の移動先の階床である。
【００２８】
次に、図３と図４を用いて、行先階候補の表示方法を説明する。
図４はこの発明の実施の形態１におけるエレベータの行先階登録装置の行先階候補の表示方法を説明するための図である。
【００２９】
本実施の形態においては、行先階候補表示手段４には、行先階候補が列挙表示される。具体的には、１列の画面の左側には、現在の階床を示す数字が表示される。この表示の右側には、行先を示す三角形が表示される。この表示の右側には、行先階の候補を示す数字が表示される。行先階の候補が複数存在する場合は、複数の候補を示す数字が使用頻度の高い順に左側から水平方向に並んで表示される。
【００３０】
図３においては、現在の階床が６階である。この場合、図４に示すように、１列の画面の左側には、６階を示す「６」が表示される。また、図３においては、利用階を６階とした場合、８階、７階、２階の順で使用頻度が高い。このため、図４に示すように、８階を示す「８」、７階を示す「７」、２階を示す「２」の順に左側から水平方向に並んで表示される。
【００３１】
次に、図５を用いて、行先階候補の確定方法を説明する。
図５はこの発明の実施の形態１におけるエレベータの行先階登録装置の行先階候補の確定方法を説明するための図である。
【００３２】
図５においては、図４と同様に、現在の階床が６階である。行先階の候補は、８階、７階、２階である。本実施の形態においては、行先階候補の列挙表示の左からの順番を行先階候補確定手段５のテンキー操作で指定することで、当該順番の位置に表示された数字に対応した階床が行先階として確定する。
【００３３】
例えば、列挙された行先階の候補の左から１番目に表示された「８」に対応した８階を行先階として確定する場合は、テンキーの「１」を押せばよい。この際、行先階候補表示手段４は、「８」を反転表示する。この表示により、利用者８は、８階が行先階として確定したことを判別できる。
【００３４】
行先階の候補の左から２番目に表示された「７」に対応した７階を行先階として確定する場合は、テンキーの「２」を押せばよい。この際、行先階候補表示手段４は、「７」を反転表示する。この表示により、利用者８は、７階が行先階として確定したことを判別できる。
【００３５】
行先階の候補の左から３番目に表示された「２」に対応した２階を行先階として確定する場合は、テンキーの「３」を押せばよい。この際、行先階候補表示手段４は、「２」を反転表示する。この表示により、利用者８は、２階が行先階として確定したことを判別できる。
【００３６】
次に、図６を用いて、行先階候補の修正方法を説明する。
図６はこの発明の実施の形態１におけるエレベータの行先階登録装置の行先階候補の修正方法を説明するための図である。
【００３７】
図６において、利用者８の意図する階は５階であるとする。図６の左側においては、行先階候補表示手段４は、利用者８の意図する５階に対応した「５」を行先階の候補として表示していない。この場合、利用者８は、行先階候補確定手段５のテンキーの「０」を押せばよい。これにより、行先階候補の修正を開始することができる。このとき、行先階候補表示手段４は、行先階の候補の全てを反転表示する。この表示により、利用者８は、行先階候補が修正可能であることを判別できる。
【００３８】
この状態で、利用者８は、図６の右側に示すように、行先階候補確定手段５のテンキーの「５」を押せばよい。これにより、行先階候補表示手段４は、５階を示す「５」を行先階候補として表示する。
【００３９】
次に、図７を用いて、行先階登録装置の動作を説明する。
図７はこの発明の実施の形態１におけるエレベータの行先階登録装置の動作を説明するためのフローチャートである。
【００４０】
まず、ステップＳ１では、初期設定が行われる。具体的には、使用履歴管理手段７は、個人情報記録テーブルＴ０１とエレベータ使用履歴テーブルＴ０２とを初期化する。その後、ステップＳ２に進み、使用履歴管理手段７は、個人情報取得手段３から個人番号の取得を試みる。
【００４１】
その後、ステップＳ３に進み、使用履歴管理手段７は、個人情報を取得できたか否かを判定する。個人情報が取得できなかった場合は、ステップＳ２に戻り、使用履歴管理手段７は、個人情報の取得を再び試みる。個人情報が取得できた場合は、ステップＳ４に進む。
【００４２】
ステップＳ４では、使用履歴管理手段７は、個人番号を照会する。すなわち、使用履歴管理手段７は、個人情報記録テーブルＴ０１を使用履歴蓄積手段６へ送信し、使用履歴蓄積手段６からエレベータ使用履歴テーブルＴ０２を受信する。
【００４３】
その後、ステップＳ５に進み、使用履歴管理手段７は、個人情報記録テーブルＴ０１に対応した使用履歴がエレベータ使用履歴テーブルＴ０２に記載されているか否かを判定する。個人情報記録テーブルＴ０１に対応した使用履歴がエレベータ使用履歴テーブルＴ０２に記載されている場合は、ステップＳ６に進む。
【００４４】
ステップＳ６では、使用履歴管理手段７は、エレベータ使用履歴テーブルＴ０２の記載に基づいて、現在の利用階等の状態から行先階候補を作成する。具体的には、使用履歴管理手段７は、エレベータ使用履歴テーブルＴ０２の中から、利用者８が個人情報取得手段３を使用した曜日と時刻とが類似しているものを行先階候補として選定する。その後、使用履歴管理手段７は、選定結果を行先階候補表示手段４に送信する。
【００４５】
その後、ステップＳ７に進み、行先階候補表示手段４は、選定結果に基づいて、行先階の候補を表示する。その後、ステップＳ８に進み、利用者８は、意図する行先階が行先階候補表示手段４に表示されているか否かを判断する。
【００４６】
利用者８の意図する行先階が行先階候補表示手段４に表示されている場合は、ステップＳ９に進む。ステップＳ９では、利用者８は、行先階候補確定手段５を用いて行先階候補を確定し、ステップＳ２に戻る。
【００４７】
これに対し、利用者８の意図する行先階が行先階候補表示手段４に表示されない場合は、ステップＳ１０に進む。ステップＳ１０では、利用者８は、行先階候補を修正し、ステップＳ２に戻る。
【００４８】
ステップＳ５で個人情報記録テーブルＴ０１に対応した使用履歴がエレベータ使用履歴テーブルＴ０２に記載されていない場合は、ステップＳ１１に進む。ステップＳ１１では、使用履歴管理手段７は、個人情報を空白にした個人情報記録テーブルＴ０１を使用履歴蓄積手段６に送信し、使用履歴蓄積手段６からエレベータ使用履歴テーブルＴ０２を受信する。
【００４９】
その後、使用履歴管理手段７は、エレベータ使用履歴テーブルＴ０２の記載に基づいて、類似する状況の行先階候補を作成する。具体的には、使用履歴管理手段７は、エレベータ使用履歴テーブルＴ０２の中から、利用者８が個人情報取得手段３を使用した曜日と時刻とが類似しているもので利用者８の個人情報に対応付けられていないものを行先階候補として選定する。
【００５０】
その後、ステップＳ７以降のステップで、行先階候補の表示、確定、修正が行われる。
【００５１】
以上で説明した実施の形態１によれば、利用者８のエレベータの使用履歴に基づいて、現在の状態に即した行先階の候補が選定される。このため、利用者８に適した行先階を選定することができる。これにより、エレベータを使用する際の利便性が向上する。
【００５２】
また、利用者８が確定した行先階に基づいて、当該利用者８の個人情報に対応付けられた使用履歴が更新される。この更新により、次回に行先階の候補の選定する際に、選定の精度が向上する。これにより、エレベータを使用する際の利便性がさらに向上する。
【００５３】
また、移動できる階床のうち、選定された行先階の候補のみが表示される。すなわち、移動する必要のない階床は表示されない。このため、利用者８は、行先階の候補のみを視覚的に閲覧することができる。
【００５４】
また、所定の操作によって、行先階の候補の中から行先階が確定される。このため、利用者８は、行先階の候補を視認した状態で適切な行先階を確定することができる。
【００５５】
また、行先階を確定する際の操作とは異なる操作によって、行先階の候補が修正される。このため、行先階の候補が意図するものと異なっている場合、利用者８は行先階の候補を訂正することができる。
【００５６】
なお、個人情報取得手段３、行先階候補表示手段４、行先階候補確定手段５は、エレベータのかごの行先操作盤に設けられていてもよい。この場合も、利用者８に適した行先階を選定することができる。
【００５７】
実施の形態２．
図８はこの発明の実施の形態２におけるエレベータの行先階登録装置の行先階候補の表示方法を説明するための図である。なお、実施の形態１と同一又は相当部分には同一符号を付して説明を省略する。
【００５８】
実施の形態１においては、行先階候補が列挙表示された。一方、実施の形態２においては、行先階候補がリスト表示される。具体的には、図８に示すように、リスト表示では、行先階の候補が行で表示される。行の左側には、通し番号が表示される。この表示の右側には、現在の階床が表示される。この表示の右側には、行先を示す三角形が表示される。この表示の右側には、行先階の候補が表示される。行先階の候補が複数存在する場合は、複数の候補が使用頻度の高い順番で上側から鉛直方向に並んで表示される。
【００５９】
次に、図９を用いて、行先階候補の確定方法を説明する。
図９はこの発明の実施の形態２におけるエレベータの行先階登録装置の行先階候補の確定方法を説明するための図である。
【００６０】
図９においては、行先階候補のリスト表示の上からの順番を行先階候補確定手段５のテンキー操作で指定することで、当該順番の行に表示された数字に対応した階床が行先階として確定する。
【００６１】
例えば、上から１行目に表示された「８」に対応した８階を行先階として確定する場合は、テンキーの「１」を押せばよい。この際、行先階候補表示手段４は、上から１番目の行を反転表示する。この表示により、利用者８は８階が行先階として確定したことを判別できる。
【００６２】
上から２行目に表示された「７」に対応した７階を行先階として確定する場合は、テンキーの「２」を押せばよい。この際、行先階候補表示手段４は、上から２番目の行を反転表示する。この表示により、利用者８は７階が行先階として確定したことを判別できる。
【００６３】
上から３行目に表示された「２」に対応した２階を行先階として確定する場合は、テンキーの「３」を押せばよい。この際、行先階候補表示手段４は、上から３番目の行を反転表示する。この表示により、利用者８は２階が行先階として確定したことを判別できる。
【００６４】
以上で説明した実施の形態２によれば、実施の形態１と同様に、利用者８に適した行先階を選択できる。これにより、エレベータを使用する際の利便性が向上する。
【００６５】
実施の形態３．
図１０はこの発明の実施の形態３におけるエレベータの行先階登録装置の行先階候補の表示方法を説明するための図である。なお、実施の形態１と同一又は相当部分には同一符号を付して説明を省略する。
【００６６】
実施の形態１においては、行先階候補が列挙表示された。一方、実施の形態３においては、行先階候補がタイル表示される。具体的には、図１０に示すように、タイル表示では、画面の左側には、現在の階床が表示される。この表示の右側には、行先を示す三角形が表示される。この表示の右側には、行先階の候補を示す数字が表示される。行先階の候補が複数存在する場合は、各候補を示す数字がタイル状に表示される。
【００６７】
次に、図１１を用いて、行先階候補の確定方法を説明する。
図１１はこの発明の実施の形態３におけるエレベータの行先階登録装置の行先階候補の確定方法を説明するための図である。
【００６８】
本実施の形態の行先階候補表示手段４はタッチパネルからなる。本実施の形態においては、行先階の候補を示す数字が表示された領域を指先で触わることで、当該数字に対応した階床が行先階として確定する。すなわち、本実施の形態の行先階候補表示手段４は、行先階候補確定手段としても機能する。
【００６９】
次に、図１２を用いて、行先階候補の修正方法を説明する。
図１２はこの発明の実施の形態３におけるエレベータの行先階登録装置の行先階候補の修正方法を説明するための図である。
【００７０】
図１２において、利用者８の意図する階は５階であるとする。図１２の左側においては、行先階候補表示手段４は、利用者８の意図する５階に対応した「５」を行先階候補として表示していない。この場合、利用者８は、現在の階床を示す「６」が表示された領域を指先で触わればよい。これにより、行先階候補の修正を開始することができる。このとき、行先階候補表示手段４は、行先階の候補を反転表示する。この表示により、利用者８は、行先階候補が修正可能であることを判別できる。
【００７１】
修正が開始されると、行先階候補表示手段４の画面はテンキーに切り替わる。この状態で、利用者８は、図１２の右側に示すように、テンキーの「５」を指先で触わればよい。その後、行先階候補表示手段４は、５階を示す「５」を行先階候補として表示する。
【００７２】
以上で説明した実施の形態３によれば、タッチパネルに触れるだけで、行先階候補の確定及び修正を行うことができる。これにより、エレベータを使用する際の利便性がさらに向上する。
【符号の説明】
【００７３】
１  エレベータ制御装置
２  乗場操作盤
３  個人情報取得手段
４  行先階候補表示手段
５  行先階候補確定手段
６  使用履歴蓄積手段
７  使用履歴管理手段
８  利用者
【図１】
2012224423.tif 000003
【図２】
2012224423.tif 000004
【図３】
2012224423.tif 000005
【図４】
2012224423.tif 000006
【図５】
2012224423.tif 000007
【図６】
2012224423.tif 000008
【図７】
2012224423.tif 000009
【図８】
2012224423.tif 000010
【図９】
2012224423.tif 000011
【図１０】
2012224423.tif 000012
【図１１】
2012224423.tif 000013
【図１２】
2012224423.tif 000014